(57)【要約】【課題】クレードルに載置した場合のプロジェクタ装置の動作を制御する。【解決手段】プロジェクタ付きカメラは、被写体像を撮像する撮像手段４０と、画像を投影する投影手段３０と、クレードル２に載置されたことを検出する載置検出手段１０８と、投影手段３０の機能に関して制限を加える制限手段５０と、制限手段５０による制限の有無を判定する判定手段５０と、載置検出手段１０８によりクレードル２へのカメラの載置が検出されたとき、判定手段５０により投影手段３０の機能に関して制限が加えられていると判定された場合には、制限を解除する解除手段５０とを備える。【選択図】図４
2008252487.tif 000002
【特許請求の範囲】
【請求項１】
被写体像を撮像する撮像手段と、
画像を投影する投影手段と、
前記投影手段の機能に関して制限を加える制限手段と、
クレードルに載置されたことを検出する載置検出手段と、
前記載置検出手段により前記クレードルへのカメラの載置が検出されたとき、前記制限手段による制限の有無を判定する判定手段と、
前記判定手段により前記投影手段の機能に関して制限が加えられていると判定された場合には、前記制限を解除する解除手段とを備えることを特徴とするプロジェクタ付きカメラ。
【請求項２】
請求項１に記載のプロジェクタ付きカメラにおいて、
前記判定手段により前記投影手段の機能に関して制限が加えられていると判定された場合には、前記制限の解除の要否をユーザに問い合わせる解除問合手段と、
ユーザが前記制限の解除を指示するために操作する解除操作部材とをさらに備え、
前記解除操作部材が操作されると、前記解除手段が前記制限を解除することを特徴とするプロジェクタ付きカメラ。
【請求項３】
請求項１または２に記載のプロジェクタ付きカメラにおいて、
前記投影手段は、画像を投影するための光源を有し、
前記制限手段は、点灯中の前記光源の輝度を低輝度に設定すること、および前記投影手段に関する機能を停止するスリープモードにすることのいずれかにより前記制限を加えることを特徴とするプロジェクタ付きカメラ。
【請求項４】
請求項３に記載のプロジェクタ付きカメラにおいて、
電源の残容量を検出する容量検出手段をさらに備え、
前記検出された電源の残容量が所定容量以下になった場合に、前記制限手段は前記光源の輝度を前記低輝度に設定することを特徴とするプロジェクタ付きカメラ。
【請求項５】
請求項３または４に記載のプロジェクタ付きカメラにおいて、
ユーザがカメラおよび前記投影手段の各種機能に関する設定を行なうために操作する設定操作部材をさらに備え、
前記設定操作部材が所定時間以上操作されない場合に、前記制限手段は前記スリープモードに移行することを特徴とするプロジェクタ付きカメラ。
【請求項６】
請求項３乃至５のいずれか一項に記載のプロジェクタ付きカメラにおいて、
前記解除手段は、前記制限手段により低輝度で点灯中の前記光源の輝度を、単位時間当たりに所定の割合で増加しながら最大輝度に設定することを特徴とするプロジェクタ付きカメラ。
【請求項７】
請求項１乃至６のいずれか一項に記載のプロジェクタ付きカメラにおいて、
前記載置検出手段により前記クレードルへのカメラの載置が検出されたとき、前記投影手段により投影されている画像を調整するための調整モードを起動する調整モード起動手段をさらに備えることを特徴とするプロジェクタ付きカメラ。
【請求項８】
請求項７に記載のプロジェクタ付きカメラにおいて、
前記調整モードが起動されている場合、前記投影手段は調整用画面を投影することを特徴とするプロジェクタ付きカメラ。
【請求項９】
請求項１乃至８のいずれか一項に記載のプロジェクタ付きカメラにおいて、
前記載置検出手段により前記クレードルに載置されたことが検出された場合、前記投影手段による画像の投影が可能な向きに載置されているか否かを判定する載置方向判定手段と、
前記載置方向判定手段により前記投影手段による画像の投影が可能な向きに載置されていると判定され、かつ前記投影手段が動作していない場合に、前記投影手段の動作開始の要否をユーザに問い合わせる動作開始問合手段と、
ユーザが前記投影手段の動作開始を指示するために操作する動作開始操作部材と、
前記動作開始操作部材が操作されると、前記投影手段による画像の投影を開始させる投影制御手段とをさらに備えることを特徴とするプロジェクタ付きカメラ。
【請求項１０】
請求項１乃至９のいずれか一項に記載のプロジェクタ付きカメラにおいて、
前記投影手段の温度を検出する検出手段と、
前記クレードルに載置された状態で前記投影手段により画像が投影されているときに、前記検出された温度が所定の閾値を越えた場合に警告を報知する警告手段とをさらに備えることを特徴とするプロジェクタ付きカメラ。
【発明の詳細な説明】
【技術分野】
【０００１】
本発明は、プロジェクタを備えるカメラに関する。
【背景技術】
【０００２】
従来から、画像を投影するためのプロジェクタ装置を備えたカメラが知られている（たとえば特許文献１）。
【特許文献１】特開２００６−２２２５４７号公報
【発明の開示】
【発明が解決しようとする課題】
【０００３】
しかしながら、従来の技術では、プロジェクタ装置を備えるカメラをクレードルに載置した場合のプロジェクタ装置の動作が考慮されていない。
【課題を解決するための手段】
【０００４】
請求項１の発明によるプロジェクタ付きカメラは、被写体像を撮像する撮像手段と、画像を投影する投影手段と、投影手段の機能に関して制限を加える制限手段と、クレードルに載置されたことを検出する載置検出手段と、載置検出手段によりクレードルへのカメラの載置が検出されたとき、制限手段による制限の有無を判定する判定手段と、判定手段により投影手段の機能に関して制限が加えられていると判定された場合には、制限を解除する解除手段とを備えることを特徴とする。
請求項２の発明は、請求項１に記載のプロジェクタ付きカメラにおいて、判定手段により投影手段の機能に関して制限が加えられていると判定された場合には、制限の解除の要否をユーザに問い合わせる解除問合手段と、ユーザが制限の解除を指示するために操作する解除操作部材とをさらに備え、解除操作部材が操作されると、解除手段が制限を解除することを特徴とする。
請求項３の発明は、請求項１または２に記載のプロジェクタ付きカメラにおいて、投影手段は、画像を投影するための光源を有し、制限手段は、点灯中の光源の輝度を低輝度に設定すること、および投影手段に関する機能を停止するスリープモードにすることのいずれかにより制限を加えることを特徴とする。
請求項４の発明は、請求項３に記載のプロジェクタ付きカメラにおいて、電源の残容量を検出する容量検出手段をさらに備え、検出された電源の残容量が所定容量以下になった場合に、制限手段は光源の輝度を低輝度に設定することを特徴とする。
請求項５の発明は、請求項３または４に記載のプロジェクタ付きカメラにおいて、ユーザがカメラおよび投影手段の各種機能に関する設定を行なうために操作する設定操作部材をさらに備え、設定操作部材が所定時間以上操作されない場合に、制限手段はスリープモードに移行することを特徴とする。
請求項６の発明は、請求項３乃至５のいずれか一項に記載のプロジェクタ付きカメラにおいて、解除手段は、制限手段により低輝度で点灯中の光源の輝度を、単位時間当たりに所定の割合で増加しながら最大輝度に設定することを特徴とする。
請求項７の発明は、請求項１乃至６のいずれか一項に記載のプロジェクタ付きカメラにおいて、載置検出手段によりクレードルへのカメラの載置が検出されたとき、投影手段により投影されている画像を調整するための調整モードを起動する調整モード起動手段をさらに備えることを特徴とする。
請求項８の発明は、請求項７に記載のプロジェクタ付きカメラにおいて、調整モードが起動されている場合、投影手段は調整用画面を投影することを特徴とする。
請求項９の発明は、請求項１乃至８のいずれか一項に記載のプロジェクタ付きカメラにおいて、載置検出手段によりクレードルに載置されたことが検出された場合、投影手段による画像の投影が可能な向きに載置されているか否かを判定する載置方向判定手段と、載置方向判定手段により投影手段による画像の投影が可能な向きに載置されていると判定され、かつ投影手段が動作していない場合に、投影手段の動作開始の要否をユーザに問い合わせる動作開始問合手段と、ユーザが投影手段の動作開始を指示するために操作する動作開始操作部材と、動作開始操作部材が操作されると、投影手段による画像の投影を開始させる投影制御手段とをさらに備えることを特徴とする。
請求項１０の発明は、請求項１乃至９のいずれか一項に記載のプロジェクタ付きカメラにおいて、投影手段の温度を検出する検出手段と、クレードルに載置された状態で投影手段により画像が投影されているときに、検出された温度が所定の閾値を越えた場合に警告を報知する警告手段とをさらに備えることを特徴とする。
【発明の効果】
【０００５】
本発明によれば、カメラがクレードルへ載置されると、投影手段に対する制限を解除することができる。
【発明を実施するための最良の形態】
【０００６】
図面を参照しながら、本発明の実施の形態によるプロジェクタ付き電子カメラを説明する。図１（ｃ）に示す電子カメラ１のボディ１０には、撮影レンズ１０１、閃光窓１０２、およびプロジェクタ投射窓１０３が設けられている。図１（ａ）に示す電子カメラ１のボディ１０の上面には、レリーズボタン１０４、プロジェクタボタン７１、およびメインスイッチ１０５が設けられている。プロジェクタボタン７１は、後述するカメラモードと投影モードとの間で電子カメラ１の動作モードを切替えるための操作部材である。
【０００７】
図１（ｂ）に示すボディ１０の背面には、操作部材１０６、液晶表示器１０７、および充電報知用ＬＥＤ１１４が設けられている。操作部材１０６は、撮影レンズ１０１の倍率や、再生表示画像および投影画像の拡大率を変更する拡大縮小ボタン１０６ａ、種々の動作モードを選択するためのモードボタン１０６ｂ、撮影と再生表示とを切替える切替ボタン１０６ｃ、各種の設定をするためのメニュー画面を液晶表示器１０７に表示するためのメニューボタン(MENU)１０６ｄ、記録媒体に記録された画像を削除する削除ボタン１０６ｅ、投影画像や液晶表示器１０７に再生表示する画像を選択するための十字キー１０６ｆ、およびメニュー画面上での設定などを決定するOKボタン１０６ｇなどを含む。充電報知用ＬＥＤ１１４は、電子カメラ１が後述するクレードル２などにより充電されているときに点灯して、ユーザに対して充電中であることを報知する。
【０００８】
図２は、電子カメラ１を充電するために用いられるクレードル２の外観を示す図であり、図２（ａ）は前方斜視図、図２（ｂ）は後方斜視図である。クレードル２の筐体２０１の内部には、電子カメラ１を載置するために水平面に対して所定の角度の傾斜面を有するように載置部２０２が形成されている。筐体２０１の背面には、ＵＳＢ端子２０４、ＡＶ出力端子２０５、ＡＣ出力端子２０６および電源スイッチ２０７が設けられるとともに、載置部２０２にはカメラコネクタ２０８が設けられている。カメラコネクタ２０８は、電子カメラ１の底面に設けられた外部コネクタと接続して、電子カメラ１との間でデータ通信や充電電流の供給を行なう。
【０００９】
図３に示すように、載置部２０２は電子カメラ１が２つの載置形態をとることが可能なように形成されている。すなわち、図３（ａ）に示すように、電子カメラ１の前面（プロジェクタ投射窓１３が配置されている面）をクレードル２の前面に向けて載置する形態（プロジェクタ側載置）、または図３（ｂ）に示すように、電子カメラ１の背面（液晶表示器１０７が配置されている面）をクレードル２の前面に向けて載置させる形態（液晶側載置）のいずれかの形態が可能である。クレードル２に載置された電子カメラ１は、載置部２０２の有する傾斜面と同一の角度で傾斜する。この結果、液晶側載置の場合ユーザは液晶表示器１０７に表示される画像が見やすくなり、プロジェクタ側載置の場合プロジェクタ投影窓１０３から投影される画像の下端が障害物などで隠れることを防いでいる。
【００１０】
クレードル２は、カメラコネクタ２０８を介して、載置部２０２に載置された電子カメラ１に対する充電をするとともに、電子カメラ１から画像データを取得する。クレードル２は、ＵＳＢ端子２０４およびＡＶ出力端子２０５に装着されたケーブルを介して他の外部機器（たとえば、プリンタ、フォトデータストレージ装置など）と通信可能である。クレードル２はＡＣ端子２０６に装着された電源ケーブルを介して商用電源の供給を受けることができる。
【００１１】
図４は電子カメラ１がクレードル２に載置された状態におけるブロック図である。
（クレードル）
図４において、クレードル２は、上述したＵＳＢ端子２０４、ＡＶ出力端子２０５、およびカメラ端子２０８が接続されたクレードル制御回路２０９を有するとともに、クレードル制御回路２０９に接続され、ＡＣ端子２０６から給電される外部電源回路２１０を有する。
【００１２】
クレードル制御回路２０９は、クレードル制御プログラムに基づいて、クレードル２を構成する各部から入力される信号を用いて所定の演算を行ない、クレードル２の各部に対する制御信号を送出して通信動作およびクレードル動作の制御を行なう。また、クレードル制御回路２０９は、後述するように電子カメラ１の電源がオフの場合に、外部電源回路２１０に指令を送り、電子カメラ１を充電する。なお、クレードル制御プログラムは制御回路２０９内の不図示の不揮発性メモリに格納されている。
【００１３】
ＡＶ出力端子２０５は、電子カメラ１がクレードル２上に載置されている場合に電子カメラ１からカメラコネクタ２０８を介して送信される画像データを、外部テレビモニタなどに表示するためのビデオ信号を生成する。外部テレビモニタなどをＡＶ出力端子２０５へ接続することにより、テレビモニタに再生画像が表示される。
【００１４】
電子カメラ１がクレードル２上に載置されている場合には、クレードル制御回路２０９の指令により、カメラコネクタ２０８を介して、電子カメラ１とクレードル２との間でデータ通信や充電電流の供給が行なわれる。後述するように、電子カメラ１はクレードル２に対して２種類の載置形態で載置することができ、カメラコネクタ２０８は回転対称に構成されている。
【００１５】
カメラコネクタ２０８は、たとえば図７（ａ）のクレードル２の上面から見たコネクタ構成図に示すように端子２０８ａ〜２０８ｊを有する。端子２０８ａ〜２０８ｄは、接続された電子カメラ１とのデータ伝送に用いられる。端子２０８ｅ〜２０８ｈは、電子カメラ１への給電に用いられる。また、端子２０８ｉ〜２０８ｊは、載置された電子カメラ１の載置形態の判別に用いられる。
【００１６】
外部電源回路２１０は、ＡＣ／ＤＣ変換回路などで構成され、ＡＣ端子２０６に接続された電源ケーブルを介して入力される交流電力をクレードル２内の各部で必要な直流電力に変換し、変換後の電力を各ブロックへ供給する。外部電源回路２１０はさらに、電子カメラ１内のバッテリーを充電するために必要な充電電流をカメラコネクタ２０８を介して電子カメラ１へ供給する。
【００１７】
（電子カメラ）
電子カメラ１は、プロジェクタ部３０、撮像部４０、および制御回路５０を主構成要素として備えている。制御回路５０には、メモリ６０が接続されている他、プロジェクタボタン７１の操作に連動するプロジェクタスイッチ７１ｓ、半押しスイッチ１０４ａ、全押しスイッチ１０４ｂ、メインスイッチ１０５、操作部材１０６の操作に連動する各種スイッチ群１０６ｓも接続されている。半押しスイッチ１０４ａおよび全押しスイッチ１０４ｂは、それぞれレリーズボタン１０４の押下操作に連動してオン信号もしくはオフ信号を制御回路５０へ出力する。さらに制御回路５０は、液晶表示器１０７、メモリカードインタフェース１０９、バッテリー１１１、充電回路１１２、温度センサ１１３、および充電報知用ＬＥＤ１１４を有し、外部コネクタ１０８に接続されている。
【００１８】
制御回路５０は、制御プログラムに基づいて、電子カメラ１を構成する各部から入力される信号を用いて所定の演算を行ない、電子カメラ１の各部に対する制御信号を送出して、撮影動作および投影動作の制御を行なう。なお、制御プログラムは、制御回路５０内の不図示の不揮発性メモリに格納されている。電子カメラ１が後述するカメラモードおよび投影モードのいずれのモードで動作中の場合でも、レリーズボタン１０４、メインスイッチ１０５、および操作部材１０６が、たとえば所定時間である１分間操作されず、制御回路５０が操作信号を入力しない場合は、制御回路５０は電子カメラ１をスリープモードに設定する。スリープモードは、電子カメラ１の電源はオンだが、各部の動作の一部を停止して消費電力を節約するモードである。スリープモードに移行後、制御回路５０は、操作信号を所定時間、たとえば５分間、入力しない場合は、電子カメラ１の電源をオフにする。上記の所定時間は、ユーザの操作により変更可能である。
【００１９】
メモリ６０は制御回路５０の作業用メモリとして使用される。後述する投影モードで画像を投影中に制御回路５０がスリープモードを設定した場合は、投影画像に対応する画像データはメモリ６０にいったん退避して格納される。
【００２０】
外部コネクタ１０８は、制御回路５０の指令により、インターフェイスケーブル（不図示）を介して接続される他の外部機器（たとえば、クレードル２、プリンタ、フォトデータストレージ装置など）との間でデータの送受を行う。外部コネクタ１０８には、制御信号を送受するコントロールインターフェイス(Control I/F)ライン、ビデオ信号を送受するビデオインターフェイス(VIDEO I/F)ライン、および画像データを送信するデジタルインターフェイス(Digital I/F)ラインと、充電電流が供給される電源ラインとが含まれている。
【００２１】
外部コネクタ１０８は、たとえば図７（ｂ）の電子カメラ１の底面から見たコネクタ構成図に示すように、端子１０８ａ〜１０８ｅを有する。端子１０８ａおよび１０８ｂは、クレードル２からの給電に用いられ、端子１０８ｃおよび１０８ｄはクレードル２とのデータ伝送に使用される。また、端子１０８ｅは電子カメラ１の載置形態の判別に用いられる。端子１０８ｅと図７（ａ）に示すカメラコネクタ２０８の有する端子２０８ｉとが接続されると、制御回路５０は電子カメラ１が上述したプロジェクタ側載置形態でクレードル２に載置されたと判定する。また、端子１０８ｅとカメラコネクタ２０８の端子２０８ｊとが接続されると、制御回路５０は電子カメラ１が液晶側載置形態でクレードル２に載置されたと判定する。
【００２２】
プロジェクタ側載置の場合、端子１０８ａおよび１０８ｂはカメラコネクタ２０８の端子２０８ｅおよび２０８ｆとそれぞれ接続して、電子カメラ１はクレードル２から給電される。さらに、端子１０８ｃおよび１０８ｄはカメラコネクタ２０８の端子２０８ａおよび２０８ｂとそれぞれ接続して、電子カメラ１とクレードル２との間でデータ伝送が行なわれる。
【００２３】
液晶側載置の場合、端子１０８ａおよび１０８ｂはカメラコネクタ２０８の端子２０８ｈおよび２０８ｇとそれぞれ接続して、電子カメラ１はクレードル２から給電される。端子１０８ｃおよび１０８ｄはカメラコネクタ２０８の端子２０８ｄおよび２０８ｃとそれぞれ接続して、電子カメラ１とクレードル２との間でデータ伝送が行なわれる。
【００２４】
バッテリー１１１は充電池により構成され、電子カメラ１内の各部に必要な電力を供給する。充電回路１１２は、外部コネクタ１０８を介してクレードル２から供給される充電電流によりバッテリー１１１を充電する。なお、バッテリー１１１の残容量は制御回路５０により監視されている。
【００２５】
メモリカードインタフェース１０９は、メモリカード１１０が着脱可能なインタフェースである。メモリカードインタフェース１０９は、制御回路５０の制御に基づいて、画像ファイルをメモリカード１１０に書き込んだり、メモリカード１１０に記録されている画像ファイルを読み出すインタフェース回路である。メモリカード１１０はコンパクトフラッシュ（登録商標）やＳＤカードなどの半導体メモリカードである。
【００２６】
温度センサ１１３は、後述する投影モードで動作中のプロジェクタ部３０のＬＥＤ光源３０３周辺の温度測定を行ない、測定結果を制御回路５０へ出力する。制御回路５０は、温度センサ１１３から入力された温度ｔと、予め設定された閾値ｔｃとの比較を行なう。計測された温度が閾値ｔｃを越えた場合は、制御回路５０はプロジェクタ部３０を後述する温度上昇抑制モードで動作させる。
【００２７】
−撮像部−
撮像部４０は、撮影レンズ４０１（図１において１０１）、撮像素子（イメージセンサ）４０２、レンズ駆動回路４０３、および撮影制御回路４０４を含む。イメージセンサ４０２としては、ＣＣＤやＣＭＯＳ撮像素子などが用いられる。撮影制御回路４０４は、制御回路５０からの指令によりイメージセンサ４０２およびレンズ駆動回路４０３を駆動制御するとともに、イメージセンサ４０２から出力される撮像信号（蓄積電荷信号）に対して所定の画像処理を行なう。画像処理は、ホワイトバランス処理やガンマ処理などである。
【００２８】
撮影レンズ４０１は、イメージセンサ４０２の撮像面上に被写体像を結像させる。撮影制御回路４０４は、撮影開始指示に応じてイメージセンサ４０２に撮像を開始させ、撮像終了後にイメージセンサ４０２から蓄積電荷信号を読出し、上記画像処理を施した上で画像データとして制御回路５０へ送出する。
【００２９】
レンズ駆動回路４０３は、撮影制御回路４０４から出力されるズーム調節信号に基づいて、撮影レンズ４０１を構成するズームレンズ（不図示）を光軸方向（テレ側もしくはワイド側）へ進退駆動する。制御回路５０は、拡大縮小ボタン１６０ａの右長押し操作によりズームアップ信号を撮影制御回路４０４へ送り、拡大縮小ボタン１０６ａの左長押し操作によりズームダウン信号を撮影制御回路４０４へ送る。
【００３０】
−プロジェクタ部−
図４、図５を参照して、プロジェクタ部３０について説明する。図４のブロック図、および図５のプロジェクタ部３０の構成図に示すように、プロジェクタ部３０は、レンズ駆動回路３００、投影光学系３０１、液晶パネル３０２、ＬＥＤ光源３０３、集光光学系３０４、ＰＢＳ（偏光ビームスプリッタ）ブロック３０５、投射制御回路３０６、および屈曲プリズム３０７を備える。液晶パネル３０２は、投射制御回路３０６からの駆動信号に応じて光像を生成する。なお、本実施の形態では、液晶パネル３０２として図５に示すように反射型の液晶パネルを使用する。投射制御回路３０６は、制御回路５０から出力される投影指令に応じてＬＥＤ光源３０３および液晶パネル３０２へ制御信号を送出する。
【００３１】
ＬＥＤ光源３０３は、白色光を射出する白色ＬＥＤであり、投射制御回路３０６を介して入力した制御回路５０の投影指令に基づいて、図５に示す光軸Ｌ１に沿って白色光を射出する。集光光学系３０４は、ＬＥＤ光源３０３から射出されて入射した白色光をほぼ平行光にしてＰＢＳブロック３０５へ向けて射出する光学系である。ＰＢＳブロック３０５は、集光光学系３０４から射出される照明光の光軸Ｌ１に対して４５度の角度をなす偏光分離部３０５ａを有する偏光ビームスプリッタである。ＰＢＳブロック３０５の面３０５ｂには、たとえば、黒色処理などの無反射処理が施される。ＰＢＳブロック３０５の右側面には反射型液晶素子（ＬＣＯＳ）によって構成される液晶パネル３０２が配設される。液晶パネル３０２は、赤、緑、青のフィルターが形成された複数の画素から構成され、カラーの画像を生成するように投射制御回路３０６により駆動される。
【００３２】
ＰＢＳブロック３０５へ入射された偏光光束（たとえばＰ偏光）は、ＰＢＳブロック３０５を透過して液晶パネル３０２を照明する。液晶パネル３０２の液晶層を透過する光は、液晶パネル３０２へ入射されると液晶層を右向きに進行し、液晶パネル３０２の反射面で反射された後、液晶層を左向きに進行して液晶パネル３０２から射出され、ＰＢＳブロック３０５へ再度入射される。電圧が印加された液晶層は位相板として機能するので、ＰＢＳブロック３０５へ再度入射される光は、Ｓ偏光である変調光とＰ偏光である非変調光との混合光である。ＰＢＳブロック３０５は、再入射された光束のうちＳ偏光成分である変調光のみを偏光分離部３０５ａで光軸Ｌ２に沿った方向へ反射（折り曲げる）し、上方の投影光学系３０１へ向けて射出する。
【００３３】
投影光学系３０１は、液晶パネル３０２から射出される光像を屈曲プリズム３０７へ導く。レンズ駆動回路３００は、投射制御回路３０６から出力されるフォーカス調節信号に基づいて、投影光学系３０１を構成するフォーカスレンズ（不図示）を光軸Ｌ２方向へ進退駆動する。屈曲プリズム３０７は投影光学系３０１から入射した投影光を光軸Ｌ３の方向へ偏向してプロジェクタ投射窓１０３から投影画像をボディ１０の正面に向けて投影する。
【００３４】
電子カメラ１には、上述したようにプロジェクタ部３０が搭載されている。この電子カメラ１は正面に配設されるスクリーンなどに向けて、画像などの情報をプロジェクタ投射窓１０３から投影する。そのため、電子カメラ１は、プロジェクタ装置３０により画像を投影するための投影モードと、画像を撮影するためのカメラモードとを動作モードとして有する。
【００３５】
カメラモードは撮影モードと再生モードとを有する。撮影モードでは、電子カメラ１は、撮像部４０により画像を撮影し、撮影した画像データを記録媒体（たとえば、メモリカード１１０や内部メモリ）に撮影画像ファイルとして保存する。再生モードでは、電子カメラ１は、撮影済みの画像データを記録媒体（たとえば、メモリカード１１０や内部メモリ）から読み出すなどして、画像データによる再生画像を液晶表示器１０７に再生表示する。撮影開始指示は、レリーズボタン１０４の押下操作に応じて出力される操作信号が対応する。
【００３６】
投影モードでは、撮影済みの画像データを記録媒体（たとえば、メモリカード１１０や内部メモリ）から読出すなどして、画像データによる再生画像（静止画、動画）を投影像として生成し、プロジェクタ部３０によってプロジェクタ投射窓１０３から投影する。なお、投影モードが設定されたとき、プロジェクタ部３０は、記録媒体以外から読出された画像データや、電子カメラ１の外部から供給される画像データによる再生画像を投影することも可能に構成されている。
【００３７】
制御回路５０は、電子カメラ１がカメラモードで起動中にプロジェクタボタン７１の操作による切替信号を受信すると、電子カメラ１の動作を投影モードに切替える。すなわち、制御回路５０はＬＥＤ光源３０３を点灯して、プロジェクタ部３０に画像の投影を開始させる。この時、制御回路５０は内部メモリから読み出した壁紙画像データに対応する壁紙画像を生成して、液晶パネル３０２上に形成する。これにより、上述したようにプロジェクタ部３０は壁紙画像を投影する。そして、たとえば十字キー１０６ｆの操作による操作信号が入力されるごとに、制御回路５０は、メモリカード１１０内の記録日時が最も古い（記録されている画像データの中で最初に撮影されたもの）画像データから順に読み出し、読み出した画像データをプロジェクタ部３０へ送出する。
【００３８】
メモリカード１１０内の画像データが全て読み出されると、制御回路５０は、十字キー１０６ｆの操作に応じて、内部メモリに記録された画像データを記録日時の古い順に読み出して、プロジェクタ部３０へ送出する。ただし、電子カメラ１にメモリカード１１０が装着されていない場合には、内部メモリに記録された画像データが上記した順序で読み出される。
【００３９】
投影モード内には、以下に示す各種の動作モードが備えられている。
１．液晶表示器点灯モード
２．液晶表示器非点灯モード
３．調整モード
４．投影制限モード
【００４０】
−液晶表示器点灯モード−
投影モードで画像投影中には、制御回路５０は、液晶表示器１０７を点灯し、投影画像と同一の画像や、投影画像を含む複数の画像、または拡大縮小ボタン１０６ａの操作に応じた投影画像の拡大率や投影画像のサイズを示すバーグラフなどの指標を表示する。複数画像を表示する場合には、制御回路５０は、液晶表示器１０７に４枚もしくは９枚の複数画像を表示する。このとき、制御回路５０は、投影画像と同一の画像と、同一画像を基準として、たとえば記録日時の古い順に３枚もしくは８枚の画像を選択して、合計４枚もしくは９枚の画像を表示する。
【００４１】
−液晶表示器非点灯モード−
制御回路５０は、図示しないリモコンなどの遠隔操作装置からの操作信号を入力すると、液晶表示器１０７を消灯し、投影画像と同一の画像表示を行なわない。
【００４２】
−調整モード−
この実施の形態の電子カメラ１では、投影中に投影画像の焦点調節状態、光量、画角、および台形補正などの調整内容におけるそれぞれの調整用パラメータを設定することができる。たとえばモードボタン１０６ｂが操作されるごとに、制御回路５０は焦点調整モード、光量調整モード、画角調整モード、台形補正モードを起動し、各調整モードに対応する調整用画面をプロジェクタ部３０にそれぞれ投影させる。その結果、ユーザは調整用画面を確認しながら、たとえば拡大縮小ボタン１０６ａの操作により調整用パラメータを設定できる。調整モードが起動中に切替ボタン１０６ｃの操作による操作信号を制御回路５０が入力すると、制御回路５０は調整モードを終了する。なお、後述するように、電子カメラ１をクレードル２にプロジェクタ側載置形態で載置したときは、制御回路５０は自動的に調整モードに切替える。また、液晶表示器点灯モードの場合には、制御回路５０は液晶表示器１０７に上記の各調整内容をメニュー表示し、メニュー画面上でユーザにより調整内容を選択することもできる。調整内容の選択は、たとえば十字キー１０６ｆなどにより行なわれる。
【００４３】
（焦点調整モード）
投影光学系３０１を構成するフォーカスレンズを光軸方向にシフトすることにより、プロジェクタ部３０は投射像の焦点調整を行なう。制御回路５０は拡大ボタン１０６ａの操作による右押しまたは左押し操作信号を受信するごとに、調整パラメータの値を所定値ごとに引上げまたは引き下げて調整値を変更する。制御回路５０は設定された調整値に応じたフォーカス調整信号を投射制御回路３０６へ出力する。このフォーカス調整信号に基づいて、上述したように、レンズ駆動回路３００は、投影光学系３０１を構成するフォーカスレンズ（不図示）を光軸Ｌ２方向へ進退駆動する。
【００４４】
（光量調整モード）
ＬＥＤ光源３０３への駆動電流値を制御することにより、プロジェクタ部３０は投射像の光量調整を行なう。制御回路５０は、設定された調整値に応じた光量調整信号を投射制御回路３０６へ出力する。投射制御回路３０６は、この光量調整信号に基づいてＬＥＤ光源３０３の発光量、すなわち駆動電流値を制御する。
【００４５】
（画角調整モード）
制御回路５０は、画像データに対して電子ズーム処理を施すことにより、投射像の画角調整を行なう。調整パラメータの変更された調整値は、制御回路５０内の所定の記録領域に記録される。制御回路５０はこの調整値を読み出し、読み出した調整値に基づいて投影する画像データに対する電子ズーム処理をメモリ６０上で施し、処理後の画像データを投射制御回路３０６へ送出する。
【００４６】
（台形補正モード）
投射像が台形状に変化する場合には、制御回路５０は、投射像を台形状から長方形状に補正するために画像処理による電気的な台形補正（キーストン補正）を施す。調整パラメータの変更された補正値は、制御回路５０内の所定の記録領域に記録される。制御回路５０はこの補正値を読み出し、読み出した補正値に基づいて投影する画像データに対する台形補正処理をメモリ６０上で施し、処理後の画像データを投射制御回路３０６へ送出する。
【００４７】
−投影制限モード−
投影モードにおいて画像投影中、制御回路５０は、バッテリー１１１の残容量に応じて、プロジェクタ部３０の動作に制限を加える投影制限モードを設定する。投影制限モードにおいては、静止画を投影中に制御回路５０がバッテリー１１１の残容量が所定値以下になったことを検出すると、制御回路５０は電子カメラ１をスリープモードに設定する。スリープモードを設定後、所定時間である５分が経過すると、制御回路５０は電子カメラ１の電源をオフする。また、動画を投影中にバッテリー１１１が所定値以下になった場合は、制御回路５０はＬＥＤ光源３０３の駆動電流値を、たとえば最大輝度で駆動する場合の駆動電流値の５０パーセントに設定して、ＬＥＤ光源３０３の輝度を下げる。もしくは、制御回路５０は、ＬＥＤ光源３０３の現状の駆動電流値の５０パーセントの駆動電流値に設定してもよい。なお、投影制限モードは、液晶表示器１０７に表示されるメニュー画面上からユーザの操作により設定することができる。
【００４８】
次に、電子カメラ１がクレードル２に載置された場合の電子カメラ１の動作について説明する。
制御回路５０は、たとえば所定時間ごとに外部コネクタ１０８の所定の信号のレベルを検出し、この検出値に基づいてクレードル２への載置を判定する。さらに、制御回路５０は、上述したように、外部コネクタ１０８を構成する各端子と、カメラコネクタ２０８を構成する各端子との接続状態に応じて、電子カメラ１の載置形態、すなわち電子カメラ１がプロジェクタ側載置か液晶側載置であるかを判定する。制御回路５０は、プロジェクタ側載置であると判定するとプロジェクタ部３０の動作を制御し、液晶側載置であると判定すると撮像部４０の動作を制御する。
【００４９】
（１．プロジェクタ側載置）
制御回路５０により、プロジェクタ側載置が判定されたときの処理を次の３つの場合について説明する。
１．電子カメラ１の電源オン
２．電子カメラ１がスリープモード
３．電子カメラ１の電源オフ
【００５０】
（１−１．電源オン）
電子カメラ１が投影モードで動作している状態で、クレードル２に載置された場合の制御回路５０の処理について説明する。制御回路５０は、クレードル２への載置を検出した後も、液晶表示器点灯モード、あるいは液晶表示器非点灯モードを継続する。クレードル２を介して電力が供給される状態となるので、投影制限モードが設定されている場合は、制御回路５０は投影制限モードによる各種の制限を次のように解除する。すなわち、制御回路５０は、バッテリー１１１の残容量に応じてスリープモードに切替えられている場合、静止画像の投影を再開する。また、動画の投影中にＬＥＤ光源３０３の駆動電流が低減されている場合、制御回路５０は、駆動電流値を単位時間当たりに所定の割合で増加して、ＬＥＤ光源３０３の輝度を少しずつ上昇させる。なお、駆動電流値を一気に上昇させてもよい。
【００５１】
その後、制御回路５０は調整モードを起動して、プロジェクタ部３０に対して投影画像に重畳して調整用画面を投影させる。調整モードにおいては、上述のようにして調整用パラメータの変更および設定が行なわれて変更された調整用パラメータに基づいて、制御回路５０は、投影画像の焦点調節状態、光量の変更、画角の調節、台形補正などを行なう。そして、制御回路５０は、切替ボタン１０６ｃの操作による操作信号を入力すると調整モードを終了し、プロジェクタ部３０に画像の投影を再開させる。
【００５２】
電子カメラ１がクレードル２に載置された状態で画像投影中に、制御回路５０が温度センサ１１３により計測された温度ｔが閾値ｔｃを越えたと判定した場合は、温度上昇抑制モードを起動する。この閾値ｔｃは、プロジェクタ部３０の画像投影に伴う発熱による投影光学系３０１に歪み等の悪影響が発生しない温度であり、実験などにより予め設定されている。温度上昇抑制モードを起動すると、制御回路５０は、プロジェクタ部３０による画像の投影を継続させたまま、ＬＥＤ光源３０３の駆動電流値を所定値に下げて、ＬＥＤ光源３０３の輝度を低減する。そして、制御回路５０は、たとえば「冷却してください」などの警告メッセージを投影画像に重畳して表示する。その後、温度センサ１１３で計測された温度ｔが閾値ｔｄを下回ると、制御回路５０はＬＥＤ光源３０３の駆動電流値を増加して輝度を通常に戻し、警告メッセージの表示を終了する。なお、閾値ｔｄは閾値ｔｃよりも低い温度であるものとする。
【００５３】
（１−２．スリープモード）
電子カメラ１がスリープモードでクレードル２に載置された場合の制御回路５０の処理について説明する。制御回路５０は電子カメラ１がクレードル２に載置されたことを検出すると、スリープモードを解除して、プロジェクタ部３０に画像の投影を再開させる。このとき、制御回路５０は、スリープモードを設定する前にメモリ６０に保存した画像データを読み出して、この読み出した画像データに対応する画像をプロジェクタ部３０に投影させる。さらに、制御回路５０は、充電回路１１２に対して、クレードル２から供給される充電電流によるバッテリー１１１への充電開始を指令する。充電が開始されると、制御回路５０は、充電報知用ＬＥＤ１１４を低輝度で点灯させる。すなわち、後述する液晶側載置形態で電子カメラ１がクレードル２に載置されて充電が開始された場合のＬＥＤ駆動電流に比べて低いＬＥＤ駆動電流で充電報知用ＬＥＤ１１４を駆動する。なお、報知用ＬＥＤ１１４を点滅させてもよい。
【００５４】
（１−３．電源オフ）
電子カメラ１が電源オフの状態でクレードル２に載置された場合の制御回路５０の処理について説明する。外部コネクタ１０８がクレードル２のカメラコネクタ２０８と接続されたことを検出すると、電子カメラ１の電源がオンされる。そして、制御回路５０は液晶表示器１０７に、たとえば「プロジェクタの投影を行ないますか？Ｙ／Ｎ」などのメッセージを表示する。ユーザによりたとえば十字キー１０６ｆにより上記メッセージの「Ｙ」が選択操作されて、制御回路５０が投影開始を指示する操作信号を入力すると、制御回路５０はプロジェクタ部３０を起動して、画像の投影を開始する。この時、制御回路５０は内部メモリから読み出した壁紙画像データに対応する壁紙画像をプロジェクタ部３０に投影させ、以後電子カメラ１を投影モードで動作させる。さらに、制御回路５０は、充電回路１１２にクレードル２から供給される充電電流によるバッテリー１１１への充電を開始させる。充電が開始されると、制御回路５０は、上述のように充電報知用ＬＥＤ１１４を低輝度で点灯させる。なお、報知用ＬＥＤ１１４を点滅させてもよい。
【００５５】
ユーザの十字キー１０６ｆなどにより上記メッセージの「Ｎ」が選択操作されて、制御回路５０が画像の投影を開始しないことを指示する操作信号を入力すると、制御回路５０は液晶表示器１０７を消灯する。そして、制御回路５０は、充電回路１１２にクレードル２から供給される充電電流によるバッテリー１１１への充電を開始させる。充電が開始されると、制御回路５０は、上述したように充電報知用ＬＥＤ１１４を低輝度で点灯させる。なお、報知用ＬＥＤ１１４を点滅させてもよい。
【００５６】
（２．液晶側載置）
制御回路５０は、カメラモードで動作中の電子カメラ１が液晶側載置形態でクレードル２に載置されたことを検知すると、カメラモードでの動作を継続する。たとえば、液晶表示器１０７に再生画像が表示されている場合は、制御回路５０は再生画像の表示を継続する。また、電源がオフの電子カメラ１が液晶側載置状態でクレードル２に載置されると、制御回路５０は、上述したように充電回路１１２に対してクレードル２から供給される充電電流によるバッテリー１１１への充電開始を指示する。
【００５７】
図６は、電子カメラ１の制御回路５０が実行するプログラムによる処理の流れを説明するフローチャートである。図６による処理を行なうプログラムはメモリ（不図示）に格納されており、外部コネクタ１０８から電子カメラ１がクレードル２へ載置されたことを示す信号が制御回路５０へ入力されると起動する。
ステップＳ１０１においては、クレードル２への載置形態がプロジェクタ側載置であるか否かを判定する。プロジェクタ側載置の場合は、ステップＳ１０１が肯定判定されてステップＳ１０２へ進む。液晶側載置の場合は、ステップＳ１０１が否定判定されて後述するステップＳ１２５へ進む。ステップＳ１０２においては、電子カメラ１の電源がオンか否かを判定する。電源がオンの場合は、ステップＳ１０２が肯定判定されてステップＳ１０３へ進む。電源がオフの場合は、ステップＳ１０２が否定判定されて後述するステップＳ１２０へ進む。
【００５８】
ステップＳ１０３においては、プロジェクタ部３０で画像を投影中か否かを判定する。投影モードで画像を投影中の場合は、ステップＳ１０３が肯定判定されてステップＳ１０４へ進む。スリープモードの場合は、ステップＳ１０３が否定判定されて後述するステップＳ１１６へ進む。ステップＳ１０４においては、投影制限モードを解除してステップＳ１０５へ進む。
【００５９】
ステップＳ１０５においては、プロジェクタ部３０がＬＥＤ光源３０３の輝度を下げて画像を投影中か否かを判定する。投影制御モードによりＬＥＤ光源３０３の輝度が下げられている場合は、ステップＳ１０５が肯定判定されてステップＳ１０６へ進む。ステップＳ１０６においては、ＬＥＤ光源３０３の駆動電流値を徐々に増加して、ＬＥＤ光源３０３の輝度を上げてステップＳ１０７へ進む。ＬＥＤ光源３０３の輝度が下げられていない場合は、ステップＳ１０５が否定判定されてステップＳ１０６をスキップしてステップＳ１０７へ進む。
【００６０】
ステップＳ１０７においては、調整モードを起動してプロジェクタ部３０に調整画面を投影させてステップＳ１０８へ進む。調整画面として、まず焦点調節用の調整画面が投影され、モードボタン１０６ｂの操作に応じて光量調整用画面、画角調整用画面、台形補正用画面の投影に切り替る。上記の各画面が投影されているときに、拡大縮小ボタン１０６ａが操作されると、上述したように調整用パラメータを変更して、投影画像を調整する。ステップＳ１０８においては、ステップＳ１０７で起動した調整モードが終了されたか否かを判定する。切替ボタン１０６ｃの操作による切替信号を入力した場合は、ステップＳ１０８が肯定判定されてステップＳ１０９へ進む。切替ボタン１０６ｃの操作による切替信号を入力しない場合は、ステップＳ１０８が否定判定されてステップＳ１０７へ戻り、調整モードを継続する。
【００６１】
ステップＳ１０９においては、プロジェクタ部３０による画像の投影を行なってステップＳ１１０へ進む。ステップＳ１１０においては、温度センサ１１３により計測された温度ｔが閾値ｔｃを越えたか否かを判定する。温度ｔが閾値ｔｃを越えている場合は、ステップＳ１１０が肯定判定されてステップＳ１１１へ進む。ステップＳ１１１においては、ＬＥＤ光源３０３の駆動電流値を低下させて、ＬＥＤ光源３０３の輝度を下げてステップＳ１１２へ進む。温度センサ１１３により計測された温度ｔが閾値ｔｃ以下であれば、ステップＳ１１０が否定判定されてステップＳ１１１をスキップしてステップＳ１１２へ進む。
【００６２】
ステップＳ１１２においては、電源がオフされたか否かを判定する。メインスイッチ１０５より電源オフ信号を入力した場合は、ステップＳ１１２が肯定判定されて一連の処理を終了する。メインスイッチ１０５から電源オフ信号を入力しない場合は、ステップＳ１１２が否定判定されてステップＳ１１３へ進む。
【００６３】
ステップＳ１１３においては、投影画像選択操作がされたか否かを判定する。十字キー１０６ｆの操作による操作信号を入力した場合は、ステップＳ１１３が肯定判定されてステップＳ１１４へ進む。投影画像選択操作がされていない場合は、ステップＳ１１３が否定判定されてステップＳ１１０へ戻る。ステップＳ１１４においては、メモリカード１１０もしくは内部メモリから次画像データを読み出してステップＳ１１５へ進む。ステップＳ１１５では、ステップＳ１１４で読み出した画像データの画像をプロジェクタ部３０に投影させてステップＳ１１０へ戻る。
【００６４】
スリープモードの状態で電子カメラ１がクレードル２に載置された場合、ステップＳ１０３が否定判定されてステップＳ１１６に進み、スリープモードを解除してステップＳ１１７へ進む。ステップＳ１１７においては、充電回路１１２に対して、クレードル２から供給された充電電流をバッテリー１１１に充電するように指令し、充電報知用ＬＥＤ１１４の輝度を下げて点灯させてステップＳ１１８へ進む。
【００６５】
ステップＳ１１８においては、メモリ６０に保存されている画像データを読み出してステップＳ１１９へ進む。ステップＳ１１９においては、ステップＳ１１８で読み出した画像データの画像をプロジェクタ部３０に投影させてステップＳ１１０へ進む。
【００６６】
電源オフの状態で電子カメラ１がクレードル２に載置された場合、ステップＳ１０２が否定判定されてステップＳ１２０に進み、液晶表示器１０７を点灯する。そして、たとえば「プロジェクタの投影を行ないますか？Ｙ／Ｎ」などのメッセージを表示する。次に、ステップＳ１２１へ進み、プロジェクタ部３０の起動を指示する操作が行われたか否かを判定する。ステップＳ１２０で表示したメッセージに対して十字キー１０６ｆの操作により、「Ｙ」を選択する操作信号を入力した場合は、ステップＳ１２１が肯定判定されてステップＳ１２２へ進む。ステップＳ１２２においては、ステップＳ１１７と同様にしてバッテリー１１１への充電を開始させ、充電報知用ＬＥＤ１１４の輝度を下げて点灯させてステップＳ１２３へ進む。
【００６７】
ステップＳ１２３においては、ＬＥＤ光源３０３を点灯してステップＳ１２４へ進む。ステップＳ１２４においては、内部メモリに記録された壁紙画像データを読み出して、プロジェクタ部３０に壁紙画像を投影させてステップＳ１１０へ進む。
【００６８】
ステップＳ１２１において、ステップＳ１２０で表示したメッセージに対して十字キー１０６ｆの操作により、「Ｎ」を選択する操作信号を入力した場合は、ステップＳ１２１が否定判定されて後述するステップＳ１２６へ進む。
【００６９】
一方、電子カメラ１が液晶側載置でクレードル２に載置されると、ステップＳ１０１が否定判定されてステップＳ１２５に進み、電子カメラ１の電源がオフであるか否かを判定する。電源がオフの場合はステップＳ１２６が肯定判定されてステップＳ１２６へ進む。ステップＳ１２６においては、充電回路１１２にバッテリー１１１への充電を開始させて一連の処理を終了する。
【００７０】
電源がオンの場合は、ステップＳ１２５が否定判定されてステップＳ１２７へ進む。ステップＳ１２７においては、液晶表示器１０７に画像を表示してステップＳ１２８へ進む。ステップＳ１２８においては、電源がオフされたか否かを判定する。メインスイッチ１０５から電源オフ信号を入力した場合は、ステップＳ１２８が肯定判定されて一連の処理を終了する。電源オフ信号を入力しない場合は、ステップＳ１２８が否定判定されてステップＳ１２７へ戻る。
【００７１】
以上で説明した実施の形態の電子カメラ１によれば、以下の作用効果が得られる。
（１）電子カメラ１がクレードル２に載置されたときに、制御回路５０は、バッテリー１１１の残容量に応じて電子カメラ１に設定されている投影制限モードを解除するようにした。したがって、プロジェクタ部３０は何ら制限のない良好な画像を投影することができる。
【００７２】
（２）電子カメラ１がクレードル２に載置されると、制御回路５０は、投影制限モードで低輝度に設定されたＬＥＤ光源３０３を最大輝度で点灯するようにした。したがって、ユーザは明るい投影画像を観賞することができる。また、ＬＥＤ光源３０３の輝度を上げる際に、制御回路５０は、ＬＥＤ光源３０３の駆動電流値を単位時間当たり所定の割合で増加させるので、急激に投影画像の明るさが変化して、ユーザが違和感を覚えるという事態を防ぐことができる。
【００７３】
（３）電子カメラ１がクレードル２に載置されると、制御回路５０は、調整モードを起動して、プロジェクタ部３０により調整画面を投影させるようにした。したがって、電子カメラ１の載置場所の変更に伴い、投影画像のピントなどの各種の設定を行なう調整モードが自動的に起動されるので、ユーザが調整モードを起動する操作を行なう必要がなくなり、利便性が向上する。
【００７４】
（４）電源オフの電子カメラ１がクレードル２にプロジェクタ側載置されたときに、制御回路５０は液晶表示器１０７にプロジェクタ部３０の起動の有無を問い合わせるメッセージを表示する。そして、ユーザの操作によりプロジェクタ部３０の起動が指示された場合に、制御回路５０はプロジェクタ部３０に画像を投影させるようにした。したがって、電子カメラ１を充電するか、画像を投影するかをユーザにより選択することができるので、電子カメラ１の動作の自由度を増すことができる。
【００７５】
（５）クレードル２に載置しながら画像を投影中に、温度センサ１１３による計測温度が所定の閾値ｔｃを越えた場合は、制御回路５０は温度上昇抑制モードを起動し、メッセージを投影させてユーザに警告するようにした。したがって、ユーザは、温度上昇にともない投影光学系３０１が悪影響を受ける可能性があることを把握し、投影の終了などの措置をとることができるので、投影光学系３０１が熱により歪むなどの不具合の発生を抑えることができる。
【００７６】
実施の形態の電子カメラ１を以下のように変形できる。
（１）スリープモードでクレードル２に載置された場合も、制御回路５０は液晶表示器１０７を点灯して、たとえば「投影を再開しますか？Ｙ／Ｎ」などのメッセージを表示してもよい。この場合、ユーザ操作により、たとえば十字キー１０６ｆにより上記メッセージの「Ｙ」を選択すると、制御回路５０は投影再開の指示操作と判定し、プロジェクタ３０による画像の投影を再開させる。また、充電回路１１２によるバッテリー１１１への充電を開始させる。また、十字キー１０６ｆにより上記メッセージの「Ｎ」を選択すると、制御回路５０はプロジェクタ３０による画像の投影を再開させることなく、充電回路１１２によるバッテリー１１１への充電のみを開始する。
【００７７】
もしくは、上記のメッセージが表示されてから操作部材１０６、およびレリーズボタン１０４のいずれかの操作により操作信号を入力した場合に、制御回路５０はプロジェクタ部３０による画像の投影を再開させるとともに、充電回路１１２に対してバッテリー１１１への充電を開始させる。このとき、制御回路５０は、上記のメッセージを表示後、たとえば３０秒間、操作信号を入力しない場合は、プロジェクタ部３０による画像の投影を再開させず、充電回路１１２によるバッテリー１１１への充電のみを開始する。
【００７８】
（２）クレードル２への載置時に、投影制限モードが起動されており、ＬＥＤ光源３０３の輝度が下げられた状態の場合に、制御回路５０によりＬＥＤ光源３０３の輝度を上げるようにした。しかし、そのままの輝度を維持した状態でＬＥＤ光源３０３を点灯させてもよい。
【００７９】
（３）電子カメラ１がカメラモードで動作中であっても投影モードで動作中であっても、同一の条件でスリープモードが設定されるものに代えて、カメラモードで動作中に制御回路５０がスリープモードを設定するまでの時間と、投影モードで動作中にスリープモードを設定するまでの時間とがそれぞれ異なるようにしてもよい。
【００８０】
（４）温度センサ１１３による温度計測に基づいて温度上昇抑制モードが起動されるものに代えて、プロジェクタ部３０による画像投影が所定時間継続して行なわれた場合に温度上昇抑制モードを起動してもよい。この所定時間は、プロジェクタ部３０の画像投影に伴う発熱により投影光学系３０１などに歪み等の悪影響が発生しない時間であり、予め実験などにより計測されている。
【００８１】
（５）温度上昇抑制モードにおいて、制御回路５０は、たとえば「冷却してください」などの警告メッセージを液晶表示器１０７にのみ表示してもよいし、投影画像と液晶表示器１０７の双方に表示してもよい。
【００８２】
（６）温度センサ１１３は、液晶パネル３０２もしくは投影光学系３０１の温度を計測するようにしてもよい。
【００８３】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００８４】
【図１】本発明の実施の形態による電子カメラの外観図であり、（ａ）は上面図を示し、（ｂ）は背面図を示し、（ｃ）は前面図を示す。
【図２】実施の形態による電子カメラを載置するクレードルの外観図であり、（ａ）は前方斜視図を示し、（ｂ）は背面斜視図を示す。
【図３】電子カメラをクレードルに載置する場合の載置形態を説明する図であり、（ａ）は電子カメラの前面をクレードルの前面に向けて載置する形態を示し、（ｂ）は電子カメラの背面をクレードルの前面に向けて載置させる形態を示す。
【図４】電子カメラおよびクレードルの要部構成を説明するブロック図である。
【図５】プロジェクタ部の構成を説明する電子カメラの断面図であり、（ａ）は図１（ａ）のＡ−Ａ線断面図を示し、（ｂ）は図１（ａ）のＢ−Ｂ線断面図を示す。
【図６】電子カメラの投影動作における処理を説明するフローチャートである。
【図７】コネクタの有する端子の構成図であり、（ａ）はクレードルが有するカメラコネクタに備えられた端子の配列を示し、（ｂ）は電子カメラが有する外部コネクタに備えられた端子の配列を示す。
【符号の説明】
【００８５】
１      電子カメラ        ２      クレードル
３０    プロジェクタ部    ４０    撮像部
５０    制御回路          １０８  外部コネクタ
１３３  温度センサ        ３０３  ＬＥＤ光源
【図１】
2008252487.tif 000003
【図２】
2008252487.tif 000004
【図３】
2008252487.tif 000005
【図４】
2008252487.tif 000006
【図５】
2008252487.tif 000007
【図６】
2008252487.tif 000008
【図７】
2008252487.tif 000009